(57)【特許請求の範囲】
【請求項１】
縦方向に設けられた切目線を介して情報印刷紙片と裏面に個人情報記入欄が設けられた葉書紙片が連接されてなり、縦寸法が官製葉書の縦寸法より大きい帳票の前記葉書紙片の裏面に、縦寸法が前記帳票の縦寸法と同寸で横寸法が前記帳票の横寸法の半分より小さい剥離紙面に粘着ラベルが島状にまた隠蔽ラベルが側端を前記剥離紙からはみだした状態でそれぞれ積層されたラベル貼付片を、前記帳票の前記折目線の近傍で且つ前記隠蔽ラベルが前記葉書紙片の裏面の前記個人情報記入欄に対向する位置に、前記隠蔽ラベルの前記剥離紙からはみだした部分を接着した構成からなることを特徴とするラベル付き帳票。
【請求項２】
前記葉書紙片に縦寸法が官製葉書と同寸となるよう、横方向に切目線を設けたことを特徴とする請求項１記載のラベル付き帳票。
【発明の詳細な説明】
【０００１】
【産業上の利用分野】
本発明は隠蔽ラベル付き葉書と表示用の粘着ラベルとを備えたラベル付き帳票に関する。
【０００２】
【従来の技術】
従来、住所変更届、申込書等として利用される隠蔽ラベル付き葉書としては、上下寸法が葉書と同じ長さで左右寸法が葉書の２倍の長さからなる情報印刷紙片と葉書紙片を備えた帳票を左右方向の中央で２つ折りして葉書紙片側の内面に、上下方向の長さが帳票と同じで左右方向の長さが帳票の左右方向の長さの半分より小さい剥離紙に側端が剥離紙からはみだした状態で隠蔽ラベルを、葉書紙片の裏面に設けられた個人情報記入欄に対向する位置に貼着した構成からなる隠蔽ラベル付き葉書を備えた帳票が知られている。しかしながら、上記の構成の隠蔽ラベル付き葉書を備えた帳票の場合には上下寸法を葉書の上下寸法と同一にすることが必要であるため、他の帳票類と上下方向の寸法を統一することが出来ないという欠点があつた。
【０００３】
【発明が解決しようとする課題】
本発明は、隠蔽ラベル付き葉書を備え且つ表示用の粘着ラベルをも備えた、上下寸法を他の帳票に合わせて任意に設定することができるラベル付き帳票を提供することである。
【０００４】
【課題を解決するための手段】
縦方向に設けられた切目線を介して情報印刷紙片と葉書紙片が連接されてなり縦寸法が官製葉書の縦寸法より大きい帳票の前記葉書紙片の裏面に、縦寸法が前記帳票の縦寸法と同寸で横寸法が前記帳票の横寸法の半分より小さい剥離紙面に粘着ラベルが島状にまた隠蔽ラベルが側端が前記剥離紙からはみだした状態でそれぞれ積層されたラベル貼付片を、前記帳票の前記折目線に隣接させ且つ前記隠蔽ラベルが前記葉書紙片の裏面の個人情報記入欄に対向する位置に、前記隠蔽ラベルの前記剥離紙からはみだした部分にて接着した構成からなることを特徴とするラベル付き帳票である。
【０００５】
前記葉書紙片に縦寸法が官製葉書と同寸となるよう、横方向に切目線を設けたことを特徴とする上記のラベル付き帳票である。
【０００６】
【実施例】
以下、図面を引用して本発明を説明する。
図１は本発明のラベル付き帳票を示す図で、（イ）は表面の平面図、（ロ）は裏面の平面図、図２は本発明のラベル付き帳票の断面を示す図で、（イ）は図１（ロ）におけるＩ−Ｉ断面図、（ロ）は図１（ロ）におけるＩＩ−ＩＩ断面図、図３は本発明のラベル付き帳票の製造工程中における、（イ）はラベル貼付片を示す平面図、（ロ）は帳票の裏面を示す平面図であり、１は葉書紙片、２，３は情報印刷紙片、４はラベル貼付片、５は剥離紙、６ａは隠蔽ラベル、６ｂは粘着ラベル、７ａ，７ｂ  は切目線、８は折目線、９は個人情報記入欄をそれぞれ表す。
【０００７】
本発明のラベル付き帳票は図１に示す構成であり、表側の葉書面は図１（イ）に示すように、横方向の中央部に縦方向の切目線７ａが形成されると共に、切目線７ａの左側には横方向の切目線７ｂを介して上下に葉書紙片１と情報印刷紙片２とが連接され、また切目線７ａの右側には情報印刷紙片３が設けられた構成であり、裏面は図１（ロ）に示すように、切目線７ａの右側の葉書紙片１の裏面に、縦寸法が帳票の縦寸法と同寸で横寸法が帳票の横寸法の半分より狭い剥離紙５の上部に粘着ラベル６ｂが島状にまた下部に隠蔽ラベル６ａが端縁が剥離紙５からはみ出した状態でそれぞれ積層されたラベル貼付片４が、隠蔽ラベル６ａが葉書紙片１の裏面に対応するように貼着された構成からなる。上記構成において葉書紙片１と情報印刷紙片３の位置は左右逆でもよいし、葉書紙片１と情報印刷紙片２の位置は上下逆でもよいことは勿論である。
【０００８】
本発明のラベル付き帳票の断面構成は図２に示すとおりであり、剥離紙５上に粘着ラベル６ｂと隠蔽ラベル６ａが積層されたラベル貼付片４が、隠蔽ラベル６ａの端縁の剥離紙５からはみだした部分で、葉書紙片１の裏面の切目線７ａに沿つて接着されているので、粘着ラベル６ｂのある部分の断面は（イ）に示すように情報印刷紙片２の裏面に粘着ラベル６ｂと剥離紙５が積層された状態で重合されており、隠蔽ラベル６ａのある部分の断面は（ロ）に示すように、隠蔽ラベル６ａの剥離紙５からはみだした部分にて葉書紙片１の裏面に接着され隠蔽ラベル６ａの他の部分には剥離紙５が積層された状態で葉書紙片１の裏面に重合されている。隠蔽ラベル６ａには剥離紙５からはみ出した部分の剥離紙５の端縁に沿つて折目線８が設けられており、折目線８によりラベル貼付片４を情報印刷紙片３側に折り返せるので、葉書紙片１及び情報印刷紙片２に記載されている情報が読み易くなつており、また個人情報記入欄９へ個人情報を記入し易くなつている。
【０００９】
葉書紙片１の表面には葉書が印刷され裏面には図３（ロ）に示す個人情報記入欄９が設けられている。情報印刷紙片２、３には表裏共に説明文、連絡事項、ＰＲ情報等の情報が印刷されている。葉書紙片１と情報印刷紙片２の裏面には、それらのほぼ全面を覆うように、剥離紙５上に隠蔽ラベル６ａと粘着ラベル６ｂがそれぞれ積層されたラベル貼付片４が重合されている。ラベル貼付片４は葉書紙片１の裏面の個人情報記入欄に隠蔽ラベル６ａが対向する位置に重合されているので、剥離紙５を隠蔽ラベル６ａから剥離してそのまま貼着することにより個人情報記入欄９の全面を隠蔽することができる。隠蔽ラベル６ａの表面には隠蔽ラベル６ａの貼付け方法の説明等が印刷され、粘着ラベル６ｂの表面には、企業の連絡先や電話番号等が印刷されて利用されるが、隠蔽ラベル６ａ及び粘着ラベル６ｂの表面の表示内容は任意に設定できる。
【００１０】
隠蔽ラベル６ａの積層構成は、ラベル基材層とポリエチレン層と２軸延伸ポリエチレンテレフタレート層と粘着剤層とが、２軸延伸ポリエチレンテレフタレート層とポリエチレン層との間で剥離可能に積層された構成からなつているので、葉書紙片１の裏面の個人情報記入欄９に所定事項を記入した後に、個人情報記入欄９を覆うように隠蔽ラベル６ａを貼着して、葉書を送付すると先方にて隠蔽ラベル６ａのラベル基材層とポリエチレン層との間で剥離することにより、個人情報記入欄９には透明な２軸延伸ポリエチレンテレフタレート層と粘着剤層とが貼着された状態となり、個人情報記入欄９に記載された内容を読むことができる。表示ラベル６ｂも隠蔽ラベル６ａと同一の構成からなる。
【００１１】
本発明のラベル付き帳票を製造するには、帳票を構成する用紙の両面に葉書、連絡事項、説明文、ＰＲ情報、個人情報記入欄９等を印刷して所定位置に切目線７ａ，７ｂ  を設けた、その裏面が図３（ロ）に示される帳票の連続体を作製する。一方、ラベル基材層とポリエチレン層と２軸延伸ポリエチレンテレフタレートフイルム層と粘着剤層と剥離紙とをポリエチレン層と２軸延伸ポリエチレンテレフタレートフイルム層間で剥離可能に積層した構成からなり、帳票の左右寸法の約１／２の巾のロール状の隠蔽ラベル積層体を使用して、ラベル基材層側からハーフカツトを施して粘着ラベル６ｂと隠蔽ラベル６ａを形成すると同時に隠蔽ラベル６ａに折目線８を形成し、粘着ラベル６ｂと隠蔽ラベル６ａ以外の部分の、ラベル基材層とポリエチレン層と２軸延伸ポリエチレンテレフタレートフイルム層と粘着剤層を剥離紙５から除去した後に、隠蔽ラベル６ａが所定巾で剥離紙５の端縁からはみ出すように剥離紙５を流れ方向にカツトして図３（イ）に示す構成のラベル貼付片４を作製する。上記で作製したラベル貼付片４を、図３（ロ）に示す帳票の連続体の裏面の個人情報記入欄９に隠蔽ラベル６ａが対向する位置に、隠蔽ラベル６ａの剥離紙５からはみ出した部分で貼着した後に、個々の帳票にカツトすることによりラベル付き帳票が完成する。
【００１２】
本発明のラベル付き帳票は、中央の切目線７ａにてラベル貼着片４を挟むように２つ折りして封筒に挿入して各個人宛に発送するか、又はメールオーダの如く銀行当の窓口近くに置いておく等の方法で使用される。帳票が送付されるか又は窓口等から持ち帰つた個人は、情報印刷紙片２，３に印刷された情報を確認してから、葉書紙片１の裏面の個人情報記入欄９に所定の情報を記入した後に、葉書紙片１の裏面に貼着されている隠蔽ラベル６ａに積層されている剥離紙５を除去して、個人情報記入欄９の上に貼着して個人情報を隠蔽する。その後、切目線７ａ，７ｂ  にて葉書紙片１を切り取りそのまま投函すればよい。企業等に返信された隠蔽ラベル６ａで隠蔽された葉書の、隠蔽ラベル６ａを２軸延伸ポリエチレンテレフタレート層とポリエチレン層との間で剥離することにより、個人情報記入欄９に記入された個人情報は、２軸延伸ポリエチレンテレフタレート層を通して読み取ることができる。企業の連絡先、電話番号等が印刷されている粘着ラベル６ｂは剥離紙５から剥離して所望の場所に貼着してメモ代わりに使用することができる。
【００１３】
【発明の効果】
中央折目線にて２つ折りされた帳票の片側の葉書紙片側の裏面に、縦寸法が前記帳票の縦寸法と同寸で、かつ横寸法が前記帳票の横寸法の半分より狭い剥離紙上に、島状に粘着ラベルと側端が剥離紙からはみだした状態の隠蔽ラベルがそれぞれ貼着されてなるラベル貼着片を、隠蔽ラベルの剥離紙からはみだした部分にて、帳票の葉書紙片の裏面の個人情報記入欄に対向させて、中央の折目線に隣接して接着した構成からなることを特徴とするラベル付き帳票である。本発明のラベル付き帳票は隠蔽ラベル付き葉書と表示用の粘着ラベルを備えているので、葉書は住所変更届、申込書等として利用できるし、連絡先名、電話番号等が表示された粘着ラベルは適当な場所に貼着してメモ代わりに使用できる。
【図面の簡単な説明】
【図１】本発明のラベル付き帳票を示す図で、（イ）は表面の平面図、（ロ）は裏面の平面図。
【図２】本発明のラベル付き帳票の断面を示す図で、（イ）は図１（ロ）におけるＩ−Ｉ断面図、（ロ）は図１（ロ）におけるＩＩ−ＩＩ断面図。
【図３】本発明のラベル付き帳票の製造工程中における、（イ）はラベル貼付片を示す平面図、（ロ）は帳票の裏面を示す平面図。
【符号の説明】
１  葉書紙片
２，３  情報印刷紙片
４  ラベル貼付片
５  剥離紙
６ａ    隠蔽ラベル
６ｂ    粘着ラベル
７ａ，  ７ｂ    切目線
８  折目線
９  個人情報記入欄
【図１】
0003565446.tif 000002
【図２】
0003565446.tif 000003
【図３】
0003565446.tif 000004